(57)【特許請求の範囲】
【請求項１】
コードと、
コードの先端に固着された円筒形状の先端金具と、
商品と連結されるフック形状の先端部を有するフック部とで構成され、
前記先端金具を該フック部の内側に挿通し、該先端金具の外側に位置するフック部の先端部が該先端金具の円筒内側に係合する位置にてフック部をコードに固定可能にしたことを特徴とする盗難防止具。
【請求項２】
前記コードが、剛直性高分子繊維により編み上げられた被覆の中に複数本の金属線を配設したことを特徴とする請求項１記載の盗難防止具。
【請求項３】
前記コードが、剛直性高分子繊維により編み上げられた被覆の中に複数本の紐状の剛直性高分子繊維を配設したことを特徴とする請求項２記載の盗難防止具。
【発明の詳細な説明】
【０００１】
【発明の属する技術分野】
本発明は、百貨店やスーパー等の小売り店舗における展示商品の盗難を防止する盗難防止具に関する。特に、一端を商品と連結させ他端を展示棚や床などの固定物に固定することにより、当該商品が持ち去られることを防止する盗難防止具に関する。
【０００２】
【従来の技術】
図７を参照して従来の盗難防止具について説明する。従来の盗難防止具は、展示商品４の適当な箇所（例えば、カメラの場合は肩つり紐の取付部）にワイヤー２を通し、該ワイヤー２の端部をかしめ具３にて商品と連結させる盗難防止具が知られている。
【０００３】
また、ワイヤー２の他端は、展示棚５の貫通孔などに通し、かしめ具３にて展示棚５と連結される。この結果、展示商品４は、ワイヤー２の長さ分だけ展示商品４を手に持って見ることができるが、展示商品を持ち去る場合は、ワイヤー２を切らなければならない。
【０００４】
【発明が解決しようとする課題】
従来の盗難防止具では、出来心による万引き行為の防止には有効であるが、予めワイヤーカッターや鋏などを使用した万引き行為には必ずしも有効ではなかった。つまり、ワイヤー２は、カッター、はさみ、ナイフなどによる切断や、力任せに引っ張られる張引力に対して、十分な強度を持っていないため、ワイヤーカッターなどによって容易に切断され、商品を持ち出される場合があった。
【０００５】
また、ワイヤー２に強度を持たせても、展示商品４と盗難防止具との連結部（かしめ具３にて連結させた箇所）を破壊して商品を持ち出されてしまうという課題があった。そこで、本発明は、カッター等の道具を用いた万引者に対しても防護でき、且つ、展示商品との連結部分の防盗性を高めた盗難防止具を得ることを目的とする。
【０００６】
【課題を解決するための手段】
コードと、コードの先端に固着された円筒形状の先端金具と、商品と連結されるフック形状の先端部を有するフック部とで構成され、前記先端金具を該フック部の内側に挿通し、該先端金具の外側に位置するフック部の先端部が該先端金具の円筒内側に係合する位置にてフック部をコードに固定可能にしたことを特徴とする盗難防止具を提供する。
【０００７】
【発明の実施の形態】
以下、本発明の実施の形態を説明する。図５は、盗難防止具の設置状況を示している。盗難防止具１は、先端金具１２を端部に取り付けたコード１１と、商品４等と連結させるフック部１３から構成されている。盗難防止具１は、コード１１の一端を商品４と他端を床等の固定物にねじにより設置した取付プレート６に連結して使用される。
【０００８】
図１は、先端金具１２がコード１１に圧着された状態を示している。先端金具１２は、中空の円筒形状の金具であり、コード１１の両端部を円筒内部に差し込み、係合部１２２をかしめて圧着固定している。
【０００９】
図２は、フック部１３の構造を示している。フック部１３は商品と直接連結させるフック形状の先端部１３１とコード１及び先端金具１２とを係合するかしめ部１３２を有し、内部が中空の略円筒形状になっている。この円筒の内径は、先端金具１２の外径よりやや大きい。
【００１０】
先端部１３１は商品と直接連結させる部分であり、図示のようにＵ字形状に返りが延出されており商品を容易にひっかけることができるようにしている。また、商品を傷つけないように、先端には丸みを持たせている。
【００１１】
かしめ部１３２は、フック部１３をコード１１及び先端金具１２に連結させる部分で、絞り部１３２ａ、１３２ｂ、１３２ｃより構成されている。絞り部１３２ａには角孔Ａ、絞り部１３２ｂには係合部Ｂ、絞り部１３２ｃには係合部Ｃを有し、各絞り部の間には切り込みＥを有している。また、かしめ部１３２を容易にかしめることができるように、フック部１３の長手方向にわたって溝Ｄが設けられている。
【００１２】
角孔Ａ、係合部Ｂ及び係合部Ｃは、円筒状のフック部１３の外周をほぼ等分する間隔で設けられる。これは、ペンチにて角孔Ａを上にして、絞り部１３２ａ、１３２ｂ、１３２ｃを挟んで上下方向の力を加えてかしめると、係合部Ｂ及び係合部Ｃがほぼ均等に変形するようにするためである。
【００１３】
図３は、コード１１及び先端金具１２にフック部１３をかしめて連結した状態を示す。フック部１３の角孔Ａ、係合部Ｂ及び係合部Ｃは、先端金具１２の端周辺部に位置する係合部１２１に引っかかるようにかしめられている。この状態では、フック部１３を先端金具１２から引き抜く方向（図３の左から右方向）では、角孔Ａ、係合部Ｂ及び係合部Ｃが先端金具１２の係合部１２１に引っかかるので、引き抜くことができない。
【００１４】
また、例えフック部１３を先端金具１２に押し込む方向（図３の右から左方向）に力が働いたとしても、先端部分１３１のＵ字形状部分が先端金具１２の内部入り込むので、当然引き抜くことができない。
【００１５】
そして、フック部１３の先端部１３１が先端金具１２の円筒内側に入るように、フック部１３の長さＬと先端金具１２の長さＭを調整し、そのとき、先端金具１２の係合部１２１がフック部１３でかしめられる。これにより、例え、マイナスドライバーなどの工具によってフック部１３の先端部１３１のＵ字形状を拡げて商品から外そうとしても、フック先端部１３１が先端金具１２に当り拡げることはできず、結局商品４から盗難防止具１を外すこともできない。
【００１６】
次に、商品４に盗難防止具１を取り付ける方法について、図４を参照して説明する。先ず、（ａ）に示すようにフック部１３の先端部１３１を商品４の肩紐取付部４１に引っかける。
【００１７】
次に、（ｂ）に示すように先端金具１２の取り付けられているコード１１をフック部１３内に挿入し、フック部１３の先端部１３１の先端が少なくとも先端金具１２の内部に入るようにする。更に、（ｃ）に示すように、ペンチにてかしめ部１３２を挟んで力を加えてフック部１３をかしめ、コード１１及び先端金具１２に係合させる。そして、ゴムのチューブからなるカバー１４をフック部１３にかぶせる。
【００１８】
コード１１の一端は、図５に示すような床等の固定物に取付られたプレート６に設けれた取付孔をくぐらせて、コード１１にフック１２を同様の方法にて取り付ける。図６は、コード１１の構造を示す。コード１１は、複数本のステンレスワイヤー１５、１６と、紐状のポリアリレート１７とをポリアリレートを編み上げた被覆１８にて包みコード状にしたものである。
【００１９】
剛直性高分子繊維であるポリアレート繊維は引張力に対して極めて切れにくく、コード１１を引っ張って切断することはできない。また、大型のワイヤーカッターを使用してコード１１を切断しようとしてもポリアレート繊維がカッターの刃の間にかんでしまい容易に切断することができない。
【００２０】
また、小型の鋏やカッターナイフであればポリアレート繊維を切断することはできるが、小型の鋏やカッターナイフでは内部のステンレスワイヤーを切断することができない。つまりコード１１は、切断行為に対してそれぞれ効果のある複数種類の材料を組み合わせてコード状にしているので、単一の切断工具による切断行為に対して極めて高い防盗性を有している。
【００２１】
【発明の効果】
上述したように、本発明の盗難防止具によれば、カッター等の切断工具を使用しても切断が困難となる。また、切断工具による切断行為に対して防盗性の高い太いコードを使用しても、展示商品との連結はフック部によって行うので、フック部の取り付け可能な程度の箇所（例えば、カメラの肩紐取り付け部分）があれば商品と容易に連結させることができる。
【００２２】
また、フックの先端部が先端金具の内部に入り込んだ状態にて固定されるため、ドライバーなどによりフック部の先端部を力づくでおこすのは困難になり、商品から盗難防止具を容易に取り外すことができない。つまり、カッター、ニッパ、ドライバーなどを用意して展示商品を盗もうとしても、コードや商品と連結部分を切断等するのが困難であるため、商品を盗難防止具から容易に外すことができない。したがって、盗難防止性能が高く、且つ、使い勝手が良くなるという効果がある。
【００２３】
【図面の簡単な説明】
【図１】本発明に係る盗難防止具のコードを説明する図
【図２】本発明に係る盗難防止具のフックを説明する図
【図３】本発明に係る盗難防止具のフックとコードを連結した状態図
【図４】本発明に係る盗難防止具の取付方法を説明する図
【図５】本発明に係る盗難防止具の使用状況を説明する図
【図６】本発明に係る盗難防止具のコードの構造を説明する図
【図７】従来の盗難防止具を説明する図
【符号の説明】
１・・・・・盗難防止具
１１・・・・コード
１２・・・・先端金具
１２１・・・係合部
１３・・・・フック部
１３１・・・先端部
１３２・・・かしめ部
Ａ・・・・・角孔
Ｂ、Ｃ・・・係合部
２・・・・・ワイヤー
３・・・・・かしめ具
４・・・・・商品
４１・・・・肩紐取付部
５・・・・・展示棚
６・・・・・プレート
【図１】
0003582683.tif 000002
【図２】
0003582683.tif 000003
【図３】
0003582683.tif 000004
【図４】
0003582683.tif 000005
【図５】
0003582683.tif 000006
【図６】
0003582683.tif 000007
【図７】
0003582683.tif 000008